(57)【要約】【課題】隙間の処理面に対して適切な薬剤量を付着させ、隙間に潜む害虫や隙間に侵入する害虫を防除する隙間用定量噴射型エアゾール及び害虫の防除方法を提供すること。【解決手段】薬剤及び炭化水素系溶剤を含む原液、及び噴射剤が耐圧容器に充填されており、噴霧粒子の平均粒子径（Ｄ５０）が５０〜１００μｍである隙間用定量噴射型エアゾールとする。【選択図】なし【特許請求の範囲】
【請求項１】
薬剤及び炭化水素系溶剤を含む原液、及び噴射剤が耐圧容器に充填されており、噴霧粒子の平均粒子径（Ｄ５０）が５０〜１００μｍである隙間用定量噴射型エアゾール。
【請求項２】
薬剤及び炭化水素系溶剤を含む原液、及び噴射剤が耐圧容器に充填されており、噴霧粒子の平均粒子径（Ｄ５０）が５０〜１００μｍである隙間用定量噴射型エアゾールを、物体と物体との間に形成された幅１〜３０ｃｍの隙間に噴射する害虫の防除方法。
【発明の詳細な説明】
【技術分野】
【０００１】
本発明は、物体と物体との間の隙間空間に処理するための隙間用定量噴射型エアゾール及び害虫の防除方法に関する。
【背景技術】
【０００２】
従来、室内の害虫を防除するには、害虫に対して直撃噴射する空間用エアゾール製品が用いられてきた。空間用エアゾール製品は、飛翔害虫や視認できる害虫の駆除には有効であるが、視認できない害虫、例えば物体と物体との間に形成された隙間に潜んでいる害虫の駆除又は防除には適していない。また、空間用エアゾール製品は使用者によって噴射時間にバラツキがあり、必要量以上の薬剤を室内に噴射してしまう場合がある。
【０００３】
そこで、１回の噴射操作で所定量の内容物を噴射する定量噴射型のエアゾール製品が開発されている。中でも全量噴射型エアゾール製品は、煙の発生がなく、簡単な操作で室内等の閉鎖空間を均一に薬剤処理でき、使用者による操作方法の差（噴射ボタンの押し下げ方法や押し下げ量等の差）が生じにくく、効果のバラツキがないという利点があり、種々の検討がなされている。例えば、有効成分を溶解するイソパラフィン系炭化水素、及び噴射剤を含有する全量噴射型エアゾール製品が提案されており、当該全量噴射型エアゾール製品を使用することにより、樹脂部材の変質を引き起こすことなく、処理面の乾きを早めることができるとされている（例えば、特許文献１参照。）。
【先行技術文献】
【特許文献】
【０００４】
【特許文献１】特開２００２−３０９２４２号公報
【発明の概要】
【発明が解決しようとする課題】
【０００５】
全量噴射型エアゾール製品は使用者による操作方法の差が生じないため一定した薬剤効果を得ることができるが、室内空間全体に処理することから処理時間が長くなり、また、処理中には室内への立ち入りができないという問題がある。
【０００６】
ゴキブリやクモなどの害虫は、物体と物体との間の隙間を好み、自発的に移動してその隙間や隅部を徘徊するため、そのような隙間に有効量の薬剤を処理することができれば、使用者の操作に依らず安定した害虫防除効果が期待できるとともに、空間全体を処理する必要がない。
【０００７】
そこで、本発明は、隙間空間を形成する面に対して適切な薬剤量を付着させ、隙間に潜む害虫や隙間に侵入する害虫を防除する隙間用定量噴射型エアゾール及び害虫の防除方法を提供することを課題とする。
【課題を解決するための手段】
【０００８】
本発明者らは鋭意検討を重ねた結果、原液中に有効成分となる薬剤と炭化水素系溶剤とを含有し、噴霧粒子の平均粒子径（Ｄ５０）が５０〜１００μｍとなるように噴射される定量噴射型エアゾールは、隙間空間を形成する面に対して適切な薬剤量を付着させることができることを見出し、本発明を完成するに至った。
【０００９】
すなわち、本発明は以下の（１）〜（２）を特徴とする。
（１）薬剤及び炭化水素系溶剤を含む原液、及び噴射剤が耐圧容器に充填されており、噴霧粒子の平均粒子径（Ｄ５０）が５０〜１００μｍである隙間用定量噴射型エアゾール。
（２）薬剤及び炭化水素系溶剤を含む原液、及び噴射剤が耐圧容器に充填されており、噴霧粒子の平均粒子径（Ｄ５０）が５０〜１００μｍである隙間用定量噴射型エアゾールを、物体と物体との間に形成された幅１〜３０ｃｍの隙間に噴射する害虫の防除方法。
【発明の効果】
【００１０】
本発明の隙間用定量噴射型エアゾールは、物体と物体との間に形成された隙間空間に効率よく薬剤が散布され、薬剤の床面、壁面、天井面、並びに隙間空間を形成している物体等への付着量が増加し、害虫の防除効果が高まる。また、噴霧粒子の平均粒子径（Ｄ５０）が５０〜１００μｍであると、害虫に対する致死効果を向上させることができる。また本発明のエアゾールは定量噴射型であるために、使用者による操作方法の差が生じず、一定した噴射量による効果の安定性が得られる。
【図面の簡単な説明】
【００１１】
【図１】試験例１で使用した試験室を説明するための平面図である。
【図２】試験例２、３で使用した試験室を説明するための平面図である。
【図３】試験例４で使用した試験室を説明するための平面図である。
【図４】試験例５で使用した試験室を説明するための平面図である。
【図５】試験例７で使用した試験室を説明するための平面図である。
【発明を実施するための形態】
【００１２】
以下、本発明の実施形態についてさらに詳しく説明する。
本発明の隙間用定量噴射型エアゾールは、薬剤及び炭化水素系溶剤を含む原液と噴射剤とを含むエアゾール組成物がエアゾール用の耐圧容器に充填されてなる。なお、本明細書において、「隙間」とは、物体と物体との間のあいている所であって、少なくとも一方向の幅が１〜３０ｃｍの範囲にある区間をいい、本発明の隙間用定量噴射型エアゾールは物体と物体との間に形成された隙間空間に向けて噴射して使用するものである。
以下、各成分について説明する。
【００１３】
（原液）
原液は、少なくとも有効成分である薬剤と炭化水素系溶剤とを含んでいる。薬剤としては、防除すべき害虫の種類により適宜選択すればよいが、害虫防除成分等が挙げられる。
【００１４】
害虫防除成分は、対象害虫を殺虫、忌避、ノックダウン等をすることができる成分である。害虫防除成分の種類は、特に限定されず、公知の化合物を使用できる。また、害虫防除成分は、対象害虫の種類に合わせて適宜選択され得る。
害虫防除成分としては、例えば、ペルメトリン、ピレトリン、アレスリン、フタルスリン、レスメトリン、フラメトリン、フェノトリン、エムペントリン、プラレトリン、シフェノトリン、イミプロトリン、トランスフルトリン、メトフルトリン、ビフェントリン等のピレスロイド系化合物、フェニトロチオン、ジクロルボス、クロルピリホスメチル、ダイアジノン、フェンチオン等の有機リン系化合物、カルバリル、プロポクスル等のカーバメイト系化合物、メトプレン、ピリプロキシフェン、メトキサジアゾン、フィプロニル、アミドフルメト等の化合物、ハッカ油、オレンジ油、ウイキョウ油、ケイヒ油、チョウジ油、テレビン油、ユーカリ油、ヒバ油、ジャスミン油、ネロリ油、ペパーミント油、ベルガモット油、ブチグレン油、レモン油、レモングラス油、シナモン油、シトロネラ油、ゼラニウム油、シトラール、ｌ−メントール、酢酸シトロネリル、シンナミックアルデヒド、テルピネオール、ノニルアルコール、ｃｉｓ−ジャスモン、リモネン、リナロール、１，８−シネオール、ゲラニオール、α−ピネン、ｐ−メンタン−３，８−ジオール、オイゲノール、酢酸メンチル、チモール、安息香酸ベンジル、サリチル酸ベンジル等の各種精油成分、プロピレングリコールモノプロピルエーテル、プロピレングリコールモノブチルエーテル、ジプロピレングリコールモノプロピルエーテル、ジプロピレングリコールモノブチルエーテル、ジプロピレングリコールジメチルエーテル、エチレングリコールモノイソブチルエーテル、ジエチレングリコールモノイソブチルエーテル、ジエチレングリコールジブチルエーテル、ジエチレングリコールジメチルエーテル、トリエチレングリコールジメチルエーテル等のグリコールエーテル類、アジピン酸ジブチル等の二塩基酸エステル類等が挙げられる。これらは、１種を単独で使用してもよく、２種以上を組み合わせて使用してもよい。中でも、害虫防除活性、速効性、ノックダウン効果等の観点から、ピレスロイド系化合物が好ましい。
【００１５】
有効成分としての薬剤は、２５℃での蒸気圧が１．０×１０−８〜１．０×１０−３Ｐａの範囲内にある低揮散性薬剤であることが好ましい。２５℃での蒸気圧が前記範囲である低揮散性薬剤を使用することで、隙間に効率よく薬剤が散布され、床面、壁面、天井面、隙間を形成している物体等への薬剤の付着量が増加し、また付着時間も増加し、害虫の防除効果が高まる。薬剤の蒸気圧（２５℃）は、下限は１．０×１０−７Ｐａ以上がより好ましく、５．０×１０−７Ｐａ以上がさらに好ましく、また、上限は８．０×１０−４Ｐａ以下がより好ましく、１．０×１０−５Ｐａ以下がさらに好ましい。
【００１６】
前記蒸気圧の範囲を満たす低揮散性薬剤として、例えば、ペルメトリン（６．８２×１０−７Ｐａ）、シフェノトリン（１．３×１０−５Ｐａ）、フタルスリン（６．０×１０−４Ｐａ）、イミプロトリン（１．８×１０−５Ｐａ）等のピレスロイド系化合物を使用することが好ましい。なお、蒸気圧はすべて２５℃における蒸気圧を表している。
【００１７】
有効成分である薬剤の含有量は、原液中１〜７０質量／容量％であることが好ましい。薬剤が原液中に１質量／容量％以上であることで、十分な薬剤の効果を得ることができ、７０質量／容量％以下であると、薬剤を溶剤に十分に溶解することができる。薬剤の含有量は、下限は３質量／容量％以上であることがより好ましく、１０質量／容量％以上がさらに好ましく、また、上限は６８質量／容量％以下がより好ましく、６５質量／容量％以下がさらに好ましい。
【００１８】
炭化水素系溶剤は原液の液体担体である。炭化水素系溶剤を上記薬剤と組み合わせて使用することで、エアゾールから噴射される噴霧粒子の平均粒子径（Ｄ５０）を所望の範囲に調整することができる。
炭化水素系溶剤としては、脂肪族炭化水素が好ましく、パラフィン系炭化水素やナフテン系炭化水素が挙げられるが、具体的にはＪＩＳ  １号灯油等の灯油が好ましい。灯油の中でも、脂肪族飽和炭化水素系溶剤が好ましく、具体的にはノルマルパラフィン、イソパラフィン等が挙げられる。ノルマルパラフィンとしては、炭素数が５〜２０のものが好ましく、炭素数が８〜１７がより好ましく、炭素数１１〜１５がさらに好ましい。使用できるノルマルパラフィンの市販品としては、例えば、中央化成株式会社製のネオチオゾール、ＪＸＴＧエネルギー株式会社製のノルマルパラフィンＭＡ等が挙げられる。イソパラフィンとしては、炭素数が５〜２０のものが好ましく、炭素数が８〜１７がより好ましく、炭素数１０〜１３がさらに好ましい。使用できるイソパラフィンの市販品としては、例えば、出光興産株式会社製のＩＰクリーンＬＸ、出光興産株式会社製のスーパーゾルＦＰ２５等が挙げられる。
【００１９】
炭化水素系溶剤の含有量は、原液中３０〜９９質量／容量％であることが好ましい。炭化水素系溶剤が原液中に３０質量／容量％以上であることで、噴霧粒子の平均粒子径を所望の範囲とすることができ、９９質量／容量％以下であると、薬剤の効果を損なうことがない。炭化水素系溶剤の含有量は、下限は３２質量／容量％以上であることがより好ましく、３５質量／容量％以上がさらに好ましく、また、上限は９７質量／容量％以下がより好ましく、９０質量／容量％以下がさらに好ましい。
【００２０】
原液には、本発明の効果を損なわない範囲で、任意の成分を含有させることができる。任意の成分としては、例えば、芳香成分、消臭成分、除菌・殺菌成分、炭化水素系溶剤以外の溶剤、滑沢剤等が挙げられる。
【００２１】
芳香成分は、香気を発する成分である。芳香成分としては、例えば、上記した精油成分や、アニス油、ベルガモット油、ラベンダー油、ローズ油、ローズマリー油、グレープフルーツ油等の天然香料、カンフェン、ｐ−シメン、シトロネロール、ネロール、ベンジルアルコール、ｎ−ブチルアルデヒド、イソブチルアルデヒド、クマリン、シネオール、ｌ−メントール、リナロール等の合成香料等が挙げられる。これらは、１種を単独で使用してもよく、２種以上を組み合わせて使用してもよい。
【００２２】
消臭成分は、臭気を消すことができる成分である。消臭成分としては、例えば、緑茶エキス、柿タンニン、ラウリル酸メタクリレート、安息香酸メチル、フェニル酢酸メチル、ゲラニルクロトレート、ミリスチン酸アセトフェノン、酢酸ベンジル、プロピオン酸ベンジル、銀等の臭気成分を吸着する成分や、上記した芳香成分のような臭気成分をマスキングする成分等が挙げられる。これらは、１種を単独で使用してもよく、２種以上を組み合わせて使用してもよい。
【００２３】
除菌・殺菌成分は、微生物、カビ、殺菌を除去・死滅させる成分である。除菌・殺菌成分としては、例えば、エタノール、ヒノキチオール、２−メルカプトベンゾチアゾール、２−（４−チアゾリル）ベンツイミダゾール、５−クロロ−２−メチル−４−イソチアゾリン−３−オン、トリホリン、３−メチル−４−イソプロピルフェノール、オルト−フェニルフェノール、グルコン酸クロルヘキシジン、ポリリジンやキトサン、テトラヒドロリナロール、ジアルキルジメチルアンモニウムクロライド等が挙げられる。これらは、１種を単独で使用してもよく、２種以上を組み合わせて使用してもよい。
【００２４】
炭化水素系溶剤以外の溶剤としては、例えば、アルコール系溶剤、芳香族系溶剤、エステル系溶剤、水、界面活性剤等が挙げられる。
アルコール系溶剤としては、例えば、エタノール、イソプロパノール、プロパノール等の低級アルコール、グリセリン、エチレングリコール等の多価アルコール等が挙げられる。芳香族系溶剤としては、例えば、トルエン、キシレン等が挙げられる。エステル系溶剤としては、例えば、ミリスチン酸イソプロピル、ラウリン酸ヘキシル、パルミチン酸イソプロピル等が挙げられる。
【００２５】
滑沢剤としては、例えば、無水ケイ酸、疎水性シリカ、ケイ酸カルシウム、ケイソウ土、高純度シリカ、タルク等のケイ酸化合物等が挙げられる。
【００２６】
エアゾール組成物中の原液の含有量は、使用する薬剤の効力の強度や組み合わせる噴射剤との相溶性に応じて適宜変更可能であり、特に限定されないが、例えば、エアゾール組成物中に１５〜４０容量％とすることができる。エアゾール組成物中に原液が１５容量％以上であると、１回の噴射操作で十分な薬剤量を噴射させることができ、４０容量％以下であると、より広範囲に薬剤を到達させることができる。原液の含有量は、エアゾール組成物中、下限は１６容量％以上であることがより好ましく、また、上限は３５容量％以下であることがより好ましく、２５容量％以下がさらに好ましい。
【００２７】
（噴射剤）
噴射剤は、上記原液を噴射するための媒体であり、原液とともにエアゾール用耐圧容器に加圧充填される。
噴射剤としては、例えば、プロパン、プロピレン、ｎ−ブタン、イソブタン等の液化石油ガス（ＬＰＧ）やジメチルエーテル（ＤＭＥ）等の液化ガス、炭酸ガス、窒素ガス、圧縮空気等の圧縮ガス、ＨＦＣ−１５２ａ、ＨＦＣ−１３４ａ、ＨＦＯ−１２３４ｙｆ、ＨＦＯ−１２３４ｚｅ等のハロゲン化炭素ガス等の１種又は２種以上を用いることができる。これらの中でも、炭化水素系溶剤との相溶性、噴霧粒子の平均粒子径を所望の範囲に調整しやすいという観点から、液化石油ガスを使用することが好ましい。
【００２８】
エアゾール組成物中の噴射剤の含有量は、使用する薬剤の効力の強度や組み合わせる原液との相溶性に応じて適宜変更可能であり、特に限定されないが、例えば、エアゾール組成物中に６０〜８５容量％であることが好ましい。エアゾール組成物中に噴射剤が６０容量％以上であると、噴霧粒子の平均粒子径を所望の範囲とすることができ、８５容量％以下であると、十分な薬剤の効果を得ることができる。噴射剤の含有量は、エアゾール組成物中、下限は６５容量％以上であることがより好ましく、７５容量％以上がさらに好ましく、また、上限は８４容量％以下がより好ましい。
【００２９】
なお、エアゾール組成物中の原液と噴射剤の体積比は、１５：８５〜４０：６０であることが好ましく、１６：８４〜２５：７５がより好ましい。このような体積比とすることで、噴霧粒子の平均粒子径を所望の範囲とし、薬剤の効果を充分に得ることができる。
【００３０】
（隙間用定量噴射型エアゾール）
本発明の隙間用定量噴射型エアゾールは、上記した原液と噴射剤がエアゾール用の耐圧容器に充填され、該耐圧容器がエアゾールバルブによりその開口を閉止されることにより構成される。
【００３１】
なお、定量噴射型エアゾールとは、１回の噴射操作で一定量のエアゾール組成物を噴射するエアゾールである。定量噴射型エアゾールは、エアゾールバルブに取り付けられた噴射部材（以下、噴射ボタンともいう。）が使用者に操作されることにより、エアゾールバルブを通って耐圧容器内のエアゾール組成物（原液と噴射剤）の一定量が噴射され、原液は噴射剤によって粒子状とされて噴霧粒子として噴射される。そして、隙間用とは、隙間空間に向けて噴射して使用するためのものであって、隙間空間は物体と物体との間に形成され、少なくとも一方向の幅が１〜３０ｃｍの範囲にある区間であって、例えば室内においては、平面方向、奥行き方向、高さ方向に生じる壁面と家具類の間、家具類同士の間等を挙げることができる。
【００３２】
（エアゾールバルブ）
エアゾールバルブは、噴射部材が使用者に操作されることにより耐圧容器内と外部との連通および遮断を切り替えるための開閉部材と、開閉部材が取り付けられるハウジングと、ハウジングを耐圧容器の所定の位置に保持するためのマウント部材を備える。また、開閉部材は、噴射部材と連動して上下に摺動するステムを含む。ステムの摺動によりエアゾール組成物の連通（噴射状態）および遮断（非噴射状態）が切り替えられる。エアゾールバルブには、耐圧容器からエアゾール組成物を取り込むためのハウジング孔と、取り込まれたエアゾール組成物を噴射部材に送るためのステム孔とが形成されている。ハウジングには、耐圧容器からエアゾール組成物を取り込むためのハウジング孔が形成されている。ステムには、ハウジング内に取り込まれたエアゾール組成物を噴射部材に送るためのステム孔が形成されている。ハウジング孔からステム孔までの経路は、エアゾール組成物が通過する内部通路を構成する。
【００３３】
本発明において、エアゾールバルブは、噴射部材を１回操作することで一定量のエアゾール組成物を噴射する定量型のエアゾールバルブである。噴射されるエアゾール組成物は、１回の噴射操作当たり、０．１〜３ｍＬであることが好ましく、０．２〜１．５ｍＬがより好ましい。
【００３４】
（噴射部材）
噴射部材（噴射ボタン）は、エアゾールバルブを介してエアゾール用耐圧容器に取り付けられる部材である。噴射ボタンには、エアゾールバルブのステム孔を介して耐圧容器内から取り込まれるエアゾール組成物が通過する操作部内通路とエアゾール組成物が噴射される噴口が形成されている。
【００３５】
噴口の内径（噴口孔径）は、拡散性を高めるという観点から、φ０．１〜３．０ｍｍであることが好ましく、φ０．２〜２．０ｍｍがより好ましく、φ０．５〜１．５ｍｍがさらに好ましい。
【００３６】
（噴射圧）
本発明の隙間用定量噴射型エアゾールは、上記したようにエアゾール用耐圧容器に原液と噴射剤、すなわちエアゾール組成物が充填され、噴射ボタンを押圧することにより、１回の押圧によって一定量のエアゾール組成物が噴射される。噴口から５ｃｍ離れた位置におけるエアゾール組成物の噴射圧は、５〜４０ｇｆであることが好ましい。噴射圧が前記範囲であると噴霧粒子の平均粒子径を所望の範囲とすることができ、薬剤の効果を充分に得ることができる。噴射圧は、下限は８ｇｆ以上であることがより好ましく、１０ｇｆ以上がさらに好ましく、また、上限は３５ｇｆ以下であることがより好ましく、３０ｇｆ以下がさらに好ましい。
なお、前記噴射圧は、２５℃の恒温に保持した隙間用定量噴射型エアゾールを、噴射ボタンの噴口から５ｃｍの距離からデジタルフォースゲージ（株式会社イマダ製、型番：ＤＳ２−２Ｎ）に装着した直径φ６０ｍｍの円状の平板の中心に向かって、１回噴射操作した際の最大値を測定することにより求めることができる。
【００３７】
（噴霧粒子の平均粒子径（Ｄ５０））
本発明の隙間用定量噴射型エアゾールは、噴霧粒子の平均粒子径（Ｄ５０）が５０〜１００μｍであることが必要である。平均粒子径（Ｄ５０）が５０μｍ未満では、噴霧粒子が細かくなり過ぎて薬剤が落下しにくく、害虫の防除効果が悪化する傾向になる。逆に１００μｍを超えると、噴霧粒子が隙間の奥に届きにくくなり、薬剤の床面、壁面、天井面、並びに隙間を形成している物体等への付着量が減少し、害虫の防除効果が悪化する傾向になる。噴霧粒子の平均粒子径（Ｄ５０）は、下限は６０μｍ以上であることが好ましく、６５μｍ以上がさらに好ましく、また、上限は８０μｍ以下がより好ましく、７５μｍ以下がさらに好ましい。
【００３８】
なお、本発明で言う噴霧粒子の平均粒子径（Ｄ５０）は、隙間用定量噴射型エアゾールの噴口から５０ｃｍ離れた距離で測定した噴霧粒子の体積平均粒子径（Ｄ５０）であり、公知の粒度分布測定装置及び自動演算処理装置を用いて測定できる。具体的には、粒度分布測定装置としてレーザー回析式粒度測定装置（例えば、マイクロトラック・ベル株式会社製「ＬＤＳＡ−１４００Ａ」）を用い、レーザー光発光部より受光部に照射されるレーザービームと、隙間用定量噴射型エアゾールの噴口との距離が５０ｃｍとなるように、かつ、噴霧粒子がレーザービームを垂直に通過するようにエアゾールの位置を調整する。噴射中に測定を行い、噴霧粒子の粒度分布を自動演算処理装置により解析し、体積積分分布に基づく噴霧粒子の５０％平均粒子径（Ｄ５０）を求めることができる。
【００３９】
（薬剤の吐出量）
本発明の隙間用定量噴射型エアゾールは、使用する薬剤の効力の強度によっても異なるが、１回の噴射操作で３〜５０ｍｇの薬剤を吐出することが好ましい。１回の噴射操作による薬剤の吐出量が３ｍｇ以上であると、十分な薬剤の効果を得ることができ、５０ｍｇ以下であると、過剰な薬剤の使用を抑制することができる。１回の噴射操作による薬剤の吐出量は、下限は８ｍｇ以上であることがより好ましく、１０ｍｇ以上がさらに好ましく、また、上限は３５ｍｇ以下であることがより好ましく、３０ｍｇ以下がさらに好ましい。なお、使用する薬剤の好ましい吐出量としては、薬剤がペルメトリンの場合は１０〜３０ｍｇが好ましく、シフェノトリンの場合は７〜１０ｍｇが好ましく、プロポクスルの場合は２０〜４０ｍｇが好ましい。
【００４０】
（噴射時間）
本発明の隙間用定量噴射型エアゾールを使用して噴射する際の、１回の噴射操作による噴射時間は、薬剤の吐出量、原液と噴射剤の体積比、噴射処理条件等を考慮して適宜設定すればよく特に限定されないが、０．８秒以内であることが好ましい。１回の噴射操作による噴射時間を０．８秒以内とすることにより、薬剤の揮散性を効率良く高めることができ、薬剤の効果の持続性を高めることができる。１回の噴射操作による噴射時間は、０．７５秒以内であることが好ましく、０．２０〜０．７５秒がより好ましく、０．３０〜０．７５秒がさらに好ましい。
【００４１】
１回の噴射操作による噴射時間を調整する方法としては、例えば、噴射ボタンの噴口の大きさを調整する方法、定量噴射型エアゾールの噴射圧を調整する方法、エアゾールバルブのステム孔径を調整する方法、噴射剤の圧力を調整する方法、及びこれらの組み合せが挙げられる。
【００４２】
（害虫の防除方法）
本発明では、上記した本発明の隙間用定量噴射型エアゾールを用いて害虫を防除する害虫の防除方法も提供する。
【００４３】
防除の対象とする害虫は、本発明の効果が得られる限り制限されないが、クロゴキブリ、チャバネゴキブリ、ヤマトゴキブリ、ワモンゴキブリ、トビイロゴキブリ等のゴキブリ、クモ、ムカデ、アリ、ゲジ、ヤスデ、ダンゴムシ、ワラジムシ、シロアリ、ケムシ、ダニ、シラミ、マダニ、トコジラミ等の匍匐害虫、カ、ハエ、ガ、ハチ、カメムシ、カツオブシムシ、シバンムシ、キクイムシ、イガ、コイガ等の飛翔害虫等が例示される。中でも、構造物の隙間を好む匍匐害虫に対して好適に使用することができ、特にゴキブリに好適である。
【００４４】
具体的な害虫の防除方法としては、本発明の隙間用定量噴射型エアゾールを、害虫が潜んでいる隙間空間や害虫の侵入の恐れのある隙間空間の入口に噴射ボタンの噴口を向けて、噴射ボタンを操作する。
本発明の隙間用定量噴射型エアゾールをこのような隙間空間に向けて噴射することで、平均粒子径（Ｄ５０）が５０〜１００μｍの薬剤が隙間空間に噴射され、このような平均粒子径を有する噴霧粒子は過剰な舞上がりを抑制しつつ、隙間空間の奥にまで届くことができる。よって、床面、壁面、天井面及び隙間空間を形成している物体等への薬剤付着量が増加し、害虫の防除効果が高まる。
【００４５】
薬剤の付着量としては、０．１〜１０００ｍｇ／ｍ２であることが好ましい。薬剤の付着量が０．１ｍｇ／ｍ２以上であれば、害虫を効果的に防除することができ、１０００ｍｇ／ｍ２以下であれば、薬剤の付着面を汚すことなく使用することができる。薬剤の付着量は、下限は５０ｍｇ／ｍ２以上であることがより好ましく、１００ｍｇ／ｍ２以上がさらに好ましく、また、上限は７５０ｍｇ／ｍ２以下であることがより好ましく、３００ｍｇ／ｍ２以下がさらに好ましい。
【００４６】
また、本発明の隙間用定量噴射型エアゾールを用いた隙間の処理では、隙間用定量噴射型エアゾールの噴口（噴射位置）から直線距離にして１５０ｃｍ程度まで噴霧粒子を到達させることができ、本発明の所望の効果を得ることができる。よって、家具類の奥行きを考慮すると、室内の壁面と家具類の間や、家具類同士の間等の隙間空間に好適に使用することができる。本発明の隙間用定量噴射型エアゾールは、１２０ｃｍ以内であればさらに優れた効果を得ることができる。
なお、噴口からの直線距離上に壁や物体等の障害物が存在して隙間が屈曲している場合、噴霧粒子はその屈曲部の障害物に当たると噴射力によって噴射方向が変更され、障害物に沿って移動することができる。よって、例えば隙間がＬ字状やＴ字状に形成されている場合、噴射位置から見えない隙間の奥にまで薬剤を行き渡らせることができる。なお、隙間が屈曲部を有する場合は、この屈曲部で噴射力が低減してしまうので直線状の隙間に比べて噴霧粒子の到達距離が短くなるが、隙間用定量噴射型エアゾールの噴口からの総距離にして１２０ｃｍ程度までは噴霧粒子を到達させることができる。
【実施例】
【００４７】
以下、本発明を実施例及び比較例によりさらに説明するが、本発明は下記例に制限されるものではない。
【００４８】
＜試験例１＞
１．原液の調製
表１に示す配合処方に従い、ペルメトリンを測り取り、各溶剤を加えて１００ｍＬにまでメスアップすることにより、原液１〜５を調製した。
なお、溶剤の比重はそれぞれ、ノルマルパラフィンは０．７６１（１５℃）、イソパラフィンは０．７５４（１５℃）、ミリスチン酸イソプロピルは０．８５５（２０℃）、イソプロパノールは０．７８５（２０℃）、無水エタノールは０．７８５（２５℃）である。
【００４９】
【表１】
2019104830.tif 000002
【００５０】
２．定量噴射型エアゾールの作製
表２に従い、検体１〜１６の定量噴射型エアゾールを作製した。
【００５１】
（検体１）
エアゾール用耐圧缶（容量５９ｍＬ）に、原液１を２．０ｍＬ充填し、エアゾールバルブ（１回噴射量０．２ｍＬ、ステム孔面積０．４ｍｍ２）でエアゾール用耐圧缶を閉止した。続いて、噴射剤として液化石油ガス（０．４９ＭＰａ（２５℃））を１８．０ｍＬ加圧充填した。
エアゾールバルブに噴射ボタン（噴口孔径φ１．５ｍｍ）を取り付け、１プッシュ当たりの噴射量が０．２ｍＬ、薬剤（ペルメトリン）の吐出量が１２．５ｍｇの検体１の定量噴射型エアゾールを得た。
【００５２】
（検体２〜１６）
原液の種類と、原液と噴射剤の充填量を表２に従って変更し、検体１と同様にして検体２〜１６の定量噴射型エアゾールを得た。
【００５３】
【表２】
2019104830.tif 000003
【００５４】
３．噴霧粒子の平均粒子径の測定
検体１〜１６の定量噴射型エアゾールについて、２５℃における噴霧粒子の平均粒子径（Ｄ５０）を測定した。
各検体を２５℃に設定した室温で２〜３時間静置し、検体の温度を２５℃の恒温とした。
粒度分布測定装置としてレーザー回析式粒度測定装置ＬＤＳＡ−１４００Ａ（マイクロトラック・ベル株式会社製）を用い、レーザー光発光部より受光部に照射されるレーザービームと、エアゾールの噴口との距離が５０ｃｍとなるように、かつ、噴霧粒子がレーザービームを垂直に通過するように検体の位置を調整した。検体の噴射ボタンを１回押圧し、噴射中に測定を行い、噴霧粒子の粒度分布を自動演算処理装置により解析し、体積積分分布に基づく噴霧粒子の５０％噴霧粒子の平均粒子径（Ｄ５０）を求めた。結果を表３に示す。
【００５５】
４．隙間における薬剤付着率の測定
容積３２．４ｍ３（３．６ｍ×３．６ｍ×２．５ｍ）の室内に２つの段ボールを家具に見立てて設置して、試験室とした。図１に示すように、試験室１０内に、縦（Ｙ方向）３８ｃｍ×横（Ｘ方向）３８ｃｍ×高さ（Ｚ方向）５５ｃｍの第１の段ボール１を、側壁１１及び奥壁１２からそれぞれ５ｃｍの間隔を空けて設置した。次に、第１の段ボール１の横に、縦３８ｃｍ×横５５ｃｍ×高さ３８ｃｍの第２の段ボール２を、第１の段ボール１及び奥壁１２からそれぞれ５ｃｍの間隔を空けて設置した。そして、一辺が２ｃｍの正方形の塩化ビニル樹脂製のプレート３を、第２の段ボール２と奥壁１２の間の床面に、第２の段ボール２の端部からそれぞれ５ｃｍの位置に設置した。
第１の段ボール１と第２の段ボール２の間の隙間空間の入口Ａの床に検体を置き、奥壁１２に向けて噴射ボタンを１０回押圧し噴射させた（合計噴射量２ｍＬ）。噴射後５分間静置し、その後、プレート３を回収した。
プレート３をエタノール１０ｍＬに浸漬させてプレート３に付着した薬剤（ペルメトリン）を抽出し、ガスクロマトグラフィーにより薬剤量を測定した。測定された薬剤量（プレート３に付着した薬剤の付着量）と薬剤吐出量から、下記に式により薬剤付着率（％）を算出した。結果を表３に示す。
薬剤付着率（％）＝（２枚のプレートに付着した合計薬剤量（ｍｇ）÷薬剤の総吐出量（ｍｇ））×１００
【００５６】
【表３】
2019104830.tif 000004
【００５７】
溶剤として炭化水素系溶剤を使用し、噴霧粒子の平均粒子径（Ｄ５０）が５０〜１００μｍの間にある検体２、３、５は、０．５％以上の付着率で隙間の奥にまで薬剤を付着させることができた。これに対し、炭化水素系溶剤を使用した場合でも噴霧粒子の平均粒子径（Ｄ５０）が５０μｍ未満または１００μｍ超の場合は、薬剤の付着率が低下し、また炭化水素系溶剤以外の溶剤を使用した場合は、噴霧粒子の平均粒子径（Ｄ５０）が５０〜１００μｍの間でも薬剤の付着率が低かった。
これらのことから、隙間に用いる定量噴射型エアゾールとしては、溶剤として炭化水素系溶剤を使用し、かつ噴霧粒子の平均粒子径（Ｄ５０）を５０〜１００μｍとすることで薬剤の付着率を向上させることができることがわかった。
【００５８】
＜試験例２＞
１．原液の調製
表４に示す配合処方に従い、ペルメトリンを測り取り、ノルマルパラフィン（比重０．７６１（１５℃））を加えて１００ｍＬにまでメスアップすることにより、各成分を混合し、原液６〜８を調製した。なお、原液６は、薬剤のみの処方である。
【００５９】
【表４】
2019104830.tif 000005
【００６０】
２．定量噴射型エアゾールの作製
表５に従い、実施例１、比較例１、２の定量噴射型エアゾールを作製した。
【００６１】
（実施例１）
エアゾール用耐圧缶（容量５９ｍＬ）に、原液７を４．８ｍＬ充填し、エアゾールバルブ（１回噴射量０．２ｍＬ、ステム孔面積０．４ｍｍ２）でエアゾール用耐圧缶を閉止した。続いて、噴射剤として液化石油ガス（０．４９ＭＰａ（２５℃））を１５．２ｍＬ加圧充填した。
エアゾールバルブに噴射ボタン（噴口孔径φ１．５ｍｍ）を取り付け、１プッシュ当たりの噴射量が０．２ｍＬ、薬剤（ペルメトリン）の吐出量が２０ｍｇ、噴霧粒子の平均粒子径（Ｄ５０）が７４．９μｍの実施例１の定量噴射型エアゾールを得た。
【００６２】
（比較例１、２）
原液の種類と、原液と噴射剤の充填量を表５に従って変更し、実施例１と同様にして比較例１、２の定量噴射型エアゾールを得た。
【００６３】
【表５】
2019104830.tif 000006
【００６４】
３．薬剤の効力確認試験
上方開口のプラスチック製カップ（直径φ１５ｃｍ、高さ１３ｃｍ）に供試虫としてクロゴキブリの雌を１０頭入れて、馴化させた。なお、プラスチック製カップの内側側壁にはクロゴキブリが這い上がれないように炭酸カルシウムを塗布した。
容積３２．４ｍ３の室内に２つの段ボールを家具に見立てて設置して、試験室とした。具体的に、図２に示すように、試験室１０内に、縦（Ｙ方向）３８ｃｍ×横（Ｘ方向）３８ｃｍ×高さ（Ｚ方向）５５ｃｍの段ボールの底部に高さ２．５ｃｍの脚部１９を備えた第１の段ボール４を、側壁１１及び奥壁１２からそれぞれ１５ｃｍの間隔を空けて設置した。次に、第１の段ボール４の横に、縦３８ｃｍ×横５５ｃｍ×高さ３８ｃｍの第２の段ボール５を、第１の段ボール４及び奥壁１２からそれぞれ１５ｃｍの間隔を空けて設置した。そして、クロゴキブリを入れたプラスチック製カップ６を、第２の段ボール５と奥壁１２との間の床面に、第２の段ボール５の第１の段ボール４側の端部からプラスチック製カップ６の中心が１５ｃｍ離れた距離となる位置に静置した。
【００６５】
第１の段ボール４と第２の段ボール５の間の隙間空間の入口Ａに、高さ１３ｃｍの台を設置し、その上に定量噴射型エアゾールを置いて、奥壁１２に向けて噴射ボタンを１回操作（１プッシュ）した。
噴射後２０分間静置し、その後、プラスチック製カップ６を回収し、清潔なプラスチック製カップ（直径φ１５ｃｍ、高さ１３ｃｍ）にクロゴキブリを移し、水を含ませた脱脂綿を与えた。その後、クロゴキブリを入れたプラスチック製カップを２５℃の部屋に静置した。２４時間後に致死頭数をカウントした。
試験は２回行い、致死頭数の合計から、致死率（全供試虫数（２０頭）に対する致死数の割合）を求めた。結果を表６に示す。
【００６６】
【表６】
2019104830.tif 000007
【００６７】
表６に示したように、実施例１は効率的に隙間に潜むゴキブリを駆除できることが分かった。これに対し、比較例１は噴霧粒子が細かくなり過ぎて、薬剤が落下しにくいために薬剤の効果を発揮しにくいと考えられ、比較例２は噴霧粒子が大きくなり過ぎて隙間空間の奥にまで届きにくいために薬剤の効果を発揮しにくいと考えられる。
【００６８】
＜試験例３＞
１．原液の調製
表７に示す配合処方に従い、ペルメトリンを測り取り、各溶剤を加えて１００ｍＬにまでメスアップすることにより、原液９、１０を調製した。
なお、溶剤の比重はそれぞれ、ノルマルパラフィンは０．７６１（１５℃）、イソプロパノールは０．７８５（２０℃）である。
【００６９】
【表７】
2019104830.tif 000008
【００７０】
２．定量噴射型エアゾールの作製
表８に従い、実施例２、比較例３の定量噴射型エアゾールを作製した。
【００７１】
（実施例２）
エアゾール用耐圧缶（容量５９ｍＬ）に、原液９を４．８ｍＬ充填し、エアゾールバルブ（１回噴射量０．２ｍＬ、ステム孔面積０．４ｍｍ２）でエアゾール用耐圧缶を閉止した。続いて、噴射剤として液化石油ガス（０．５０ＭＰａ（２５℃））を１５．２ｍＬ加圧充填した。
エアゾールバルブに噴射ボタン（噴口孔径φ１．５ｍｍ）を取り付け、１プッシュ当たりの噴射量が０．２ｍＬ、薬剤（ペルメトリン）の吐出量が３０ｍｇ、噴霧粒子の平均粒子径（Ｄ５０）が７４．９μｍの実施例２の定量噴射型エアゾールを得た。
【００７２】
（比較例３）
原液１０を用いて、実施例２と同様にして比較例３の定量噴射型エアゾールを得た。
【００７３】
３．薬剤の効力確認試験
試験例２と同様の薬剤の効力確認試験を行った。
結果を表８に示す。
【００７４】
【表８】
2019104830.tif 000009
【００７５】
表８に示したように、ノルマルパラフィンを使用した実施例２は１００％の致死率となったのに対し、イソプロパノールを使用した比較例３は５０％の致死率であった。この結果から、溶剤が異なることで粒子径が同等の場合においても供試虫への薬剤付着率が変化し、ノルマルパラフィンを使用することで高い薬剤効果を得ることができることが分かった。
【００７６】
＜試験例４＞
１．定量噴射型エアゾールの作製
試験例３の実施例２で作製した定量噴射型エアゾールを使用した。
【００７７】
２．薬剤の効果発揮範囲の確認試験
２−１．チャバネゴキブリに対する確認試験
上方開口のプラスチック製カップ（直径φ１５ｃｍ、高さ１３ｃｍ）に供試虫としてチャバネゴキブリの雌を１０匹入れて、馴化させた。なお、プラスチック製カップの内側側壁にはチャバネゴキブリが這い上がれないように炭酸カルシウムを塗布した。
容積３２．４ｍ３の室内に段ボールを家具に見立てて設置して、試験室とした。具体的に、図３に示すように、試験室１０の床面に、縦（Ｙ方向）５５ｃｍ×横（Ｘ方向）３８ｃｍ×高さ（Ｚ方向）３８ｃｍの段ボール７を、該段ボール７の長手方向に連続して４つ並べ、４つ並べた段ボール群の側面から約１５ｃｍの間隔を空けて同様に段ボール７を長手方向に連続して４つ並べて、幅１５ｃｍ、奥行き２２０ｃｍ、高さ３８ｃｍの隙間空間を形成した。そして、チャバネゴキブリを入れたプラスチック製カップ９を、該プラスチック製カップ９の中心が隙間空間の入口Ａから５０ｃｍ、１００ｃｍ、１２０ｃｍ、１５０ｃｍ、２００ｃｍ離れた距離となる位置の床面に静置した。
【００７８】
隙間空間の入口Ａに、高さ１３ｃｍの台を設置し、その上に定量噴射型エアゾールを置いて、隙間空間の出口に向けて噴射ボタンを１回操作（１プッシュ）した。
噴射後２０分間静置し、その後、プラスチック製カップ９を回収し、清潔なプラスチック製カップ（直径φ１５ｃｍ、高さ１３ｃｍ）にチャバネゴキブリを移し、水を含ませた脱脂綿を与えた。その後、チャバネゴキブリを入れたプラスチック製カップを２５℃の部屋に静置した。２４時間後に致死頭数をカウントした。
試験は２回行い、致死頭数の合計から、致死率（全供試虫数（２０頭）に対する致死数の割合）を求め、以下の評価基準に基づき評価した。結果を表９に示す。
〔評価基準〕
◎：致死率８０〜１００％
○：致死率６０％以上８０％未満
△：致死率４０％以上６０％未満
×：致死率４０％未満
【００７９】
２−２．クロゴキブリに対する確認試験
供試虫としてクロゴキブリの雌を使用した以外は、上記２−１．チャバネゴキブリに対する確認試験と同様に試験を行った。結果を表９に示す。
【００８０】
【表９】
2019104830.tif 000010
【００８１】
表９に示したように、チャバネゴキブリ、クロゴキブリ共に、１５０ｃｍの距離まで薬剤が到達し、また、１２０ｃｍの距離までは８０％以上の致死率を得ることができることが分かった。
【００８２】
＜試験例５＞
１．定量噴射型エアゾールの作製
試験例３の実施例２で作製した定量噴射型エアゾールを使用した。
【００８３】
２．薬剤の効果発揮範囲の確認試験
２−１．チャバネゴキブリに対する確認試験
上方開口のプラスチック製カップ（直径φ１５ｃｍ、高さ１３ｃｍ）に供試虫としてチャバネゴキブリの雌を１０匹入れて、馴化させた。なお、プラスチック製カップの内側側壁にはチャバネゴキブリが這い上がれないように炭酸カルシウムを塗布した。
容積３２．４ｍ３の室内に段ボールを家具に見立てて設置して、試験室とした。具体的に、図４に示すように、試験室１０の床面に、縦（Ｙ方向）５５ｃｍ×横（Ｘ方向）３８ｃｍ×高さ（Ｚ方向）３８ｃｍの第１の段ボール７を奥壁１２から１５ｃｍ離して設置した。次に、第１の段ボール７の横に、縦３８ｃｍ×横５５ｃｍ×高さ３８ｃｍの第２の段ボール８を、第１の段ボール７及び奥壁１２からそれぞれ１５ｃｍの間隔を空けて長手方向に連続して２つ並べた。これらの段ボールにより、幅１５ｃｍ、長さ５３ｃｍ、高さ３８ｃｍからなる第１の隙間空間１７と、幅１５ｃｍ、長さ１６３ｃｍ、高さ３８ｃｍからなる第２の隙間空間１８とで形成されたＴ字形隙間を形成した。
そして、チャバネゴキブリを入れたプラスチック製カップ９を、第１の隙間空間１７と第２の隙間空間１８とが交差する位置の床面、及び第２の隙間空間１８の第２の段ボール８の第１の段ボール７側の端部からプラスチック製カップ９の中心が１５ｃｍ、３０ｃｍ、４５ｃｍ、６０ｃｍ、７５ｃｍ離れた距離となる位置の床面に静置した。
【００８４】
奥壁１２から５７．５ｃｍ離れた第１の隙間空間１７の入口Ａに、高さ１３ｃｍの台を設置し、その上に定量噴射型エアゾールを置いて、奥壁１２に向けて噴射ボタンを１回操作（１プッシュ）した。
噴射後２０分間静置し、その後、プラスチック製カップ９を回収し、清潔なプラスチック製カップ（直径φ１５ｃｍ、高さ１３ｃｍ）にチャバネゴキブリを移し、水を含ませた脱脂綿を与えた。その後、チャバネゴキブリを入れたプラスチック製カップを２５℃の部屋に静置した。２４時間後に致死頭数をカウントした。
試験は２回行い、致死頭数の合計から、致死率（全供試虫数（２０頭）に対する致死数の割合）を求め、以下の評価基準に基づき評価した。結果を表１０に示す。
〔評価基準〕
◎：致死率８０〜１００％
○：致死率６０％以上８０％未満
△：致死率４０％以上６０％未満
×：致死率４０％未満
【００８５】
２−２．クロゴキブリに対する確認試験
供試虫としてクロゴキブリの雌を使用した以外は、上記２−１．チャバネゴキブリに対する確認試験と同様に試験を行った。結果を表１０に示す。
【００８６】
【表１０】
2019104830.tif 000011
【００８７】
表１０に示したように、チャバネゴキブリに対しては総距離で１１０ｃｍの距離まで薬剤の効果を得ることができ、クロゴキブリに対しては総距離で６５ｃｍの距離まで薬剤の効果を得ることができた。チャバネゴキブリはクロゴキブリに比べて感受性が高いためチャバネゴキブリのほうがより効果が出やすかったと思われるが、屈曲部を有する隙間においても屈曲部を超えて薬剤を到達させて薬剤の効果を得ることができることが分かった。
【００８８】
＜試験例６＞
１．原液の調製
表１１に示す配合処方に従い、薬剤（ペルメトリン、メトキサジアゾン）と香料を測り取り、各溶剤を加えて１００ｍＬにまでメスアップすることにより、原液１１、１２を調製した。
なお、溶剤の比重はそれぞれ、ノルマルパラフィンは０．７６１（１５℃）、無水エタノールは０．７８５（２５℃）である。
【００８９】
【表１１】
2019104830.tif 000012
【００９０】
２．定量噴射型エアゾールの作製
表１２に従い、実施例３〜４の定量噴射型エアゾールを作製した。
【００９１】
（実施例３）
エアゾール用耐圧缶（容量５９ｍＬ）に、原液１１を４．８ｍＬ充填し、エアゾールバルブ（１回噴射量０．２ｍＬ、ステム孔面積０．４ｍｍ２）でエアゾール用耐圧缶を閉止した。続いて、噴射剤として液化石油ガス（０．４９ＭＰａ（２５℃））を１５．２ｍＬ加圧充填した。
エアゾールバルブに噴射ボタン（噴口孔径φ１．５ｍｍ）を取り付け、１プッシュ当たりの噴射量が０．２ｍＬ、薬剤（ペルメトリン）の吐出量が３０ｍｇの実施例３の定量噴射型エアゾールを得た。
【００９２】
（実施例４）
エアゾール用耐圧缶（容量２９０ｍＬ）に、原液１２を７３．３ｍＬ充填し、エアゾールバルブ（１回噴射量１ｍＬ、ステム孔面積１．４ｍｍ２）でエアゾール用耐圧缶を閉止した。続いて、噴射剤としてジメチルエーテルを１４６．７ｍＬ加圧充填した。
エアゾールバルブに噴射ボタン（噴口孔径φ１．５ｍｍ）を取り付け、１プッシュ当たりの噴射量が１．０ｍＬ、薬剤（ペルメトリンとメトキサジアゾン）の吐出量が１９．３ｍｇ（ペルメトリン１１ｍｇ、メトキサジアゾン８．３ｍｇ）の実施例４の定量噴射型エアゾールを得た。
【００９３】
（比較例４）
また、比較例４として市販のゴキブリ用ワンプッシュ製剤（フマキラー株式会社製「ゴキブリワンプッシュ」）を使用した。
【００９４】
【表１２】
2019104830.tif 000013
【００９５】
３．噴霧粒子の平均粒子径の測定
実施例３〜４、比較例４の定量噴射型エアゾールについて、２５℃における噴霧粒子の平均粒子径（Ｄ５０）を測定した。
各定量噴射型エアゾールを２５℃に設定した室温で２〜３時間静置し、定量噴射型エアゾールの温度を２５℃の恒温とした。
粒度分布測定装置としてレーザー回析式粒度測定装置ＬＤＳＡ−１４００Ａ（マイクロトラック・ベル株式会社製）を用い、レーザー光発光部より受光部に照射されるレーザービームと、エアゾールの噴口との距離が５０ｃｍとなるように、かつ、噴霧粒子がレーザービームを垂直に通過するように定量噴射型エアゾールの位置を調整した。定量噴射型エアゾールの噴射ボタンを１回押圧し、噴射中に測定を行い、噴霧粒子の粒度分布を自動演算処理装置により解析し、体積積分分布に基づく噴霧粒子の５０％噴霧粒子の平均粒子径（Ｄ５０）を求めた。
試験は３回行い、その平均値を求めた。結果を表１３に示す。
【００９６】
【表１３】
2019104830.tif 000014
【００９７】
表１３に示したように、実施例３、４はいずれも、噴霧粒子の平均粒子径（Ｄ５０）が５０〜１００μｍの範囲であった。
【００９８】
＜試験例７＞
１．定量噴射型エアゾールの作製
試験例６の実施例４で作製した定量噴射型エアゾールを使用した。
【００９９】
２．薬剤の効力確認試験
２−１．チャバネゴキブリに対する効力確認試験
容積３２．４ｍ３の室内に、４つの段ボールを家具に見立てて設置して、試験室とした。具体的に、図５に示すように、試験室１０内に、縦（Ｙ方向）３８ｃｍ×横（Ｘ方向）３８ｃｍ×高さ（Ｚ方向）５５ｃｍの段ボールの底部に高さ２．５ｃｍの脚部１９を備えた第１の段ボール４を、側壁１１及び奥壁１２からそれぞれ５ｃｍの間隔を空けて設置した。次に、第１の段ボール４の横に、縦３８ｃｍ×横５５ｃｍ×高さ３８ｃｍの第２の段ボール５を、第１の段ボール４及び奥壁１２からそれぞれ５ｃｍの間隔を空けて設置した。次に、前記第１の段ボール４の対角にある位置に、別の第１の段ボール４を、側壁１３及び前壁１４からそれぞれ５ｃｍの間隔を空けて設置し、この第１の段ボール４の横に、別の第２の段ボール５を、第１の段ボール４及び前壁１４からそれぞれ５ｃｍの間隔を空けて設置した。
供試虫としてチャバネゴキブリの雌を、２つの第１の段ボール４の裏側（すなわち、奥壁１２又は前壁１４との間の隙間）に２０頭ずつ放ち、６０秒以上出て来なくなるまで定着させた。
【０１００】
第１の段ボール４と第２の段ボール５の間の隙間空間の入口Ａの床面に、実施例４の定量噴射型エアゾールをそれぞれ置き、奥壁１２及び前壁１４に向けてそれぞれの噴射ボタンを１回操作（１プッシュ）した。
噴射後１２０分間静置し、その後、ノックダウンしていたチャバネゴキブリの数を数えた。チャバネゴキブリを全て清潔な容器（直径φ１０ｃｍ、高さ１３ｃｍ）に回収し、２％砂糖水を与えた。その後、チャバネゴキブリを入れた容器を２５℃の部屋に静置した。２４時間後に致死頭数をカウントした。試験は２回行った。
致死頭数の合計から、致死率（供試虫数（４０頭）に対する致死数の割合）を求めた。結果を表１４に示す。
【０１０１】
２−２．クロゴキブリに対する効力確認試験
供試虫としてクロゴキブリの雌を使用した以外は、上記２−１．チャバネゴキブリに対する確認試験と同様に試験を行った。結果を表１４に示す。
【０１０２】
【表１４】
2019104830.tif 000015
【０１０３】
表１４の結果より、実施例４の定量噴射型エアゾールは、チャバネゴキブリ、クロゴキブリのいずれに対しても、隙間に潜んだ状況において優れた防虫効果を有することが分かった。
【符号の説明】
【０１０４】
１    第１の段ボール
２    第２の段ボール
３    プレート
４    第１の段ボール
５    第２の段ボール
６    プラスチック製カップ
７    第１の段ボール（段ボール）
８    第２の段ボール
９    プラスチック製カップ
１０  試験室
１１  側壁
１２  奥壁
１３  側壁
１４  前壁
１７  第１の隙間空間
１８  第２の隙間空間
１９  脚部
Ａ    隙間の入口
【図１】
2019104830.tif 000016
【図２】
2019104830.tif 000017
【図３】
2019104830.tif 000018
【図４】
2019104830.tif 000019
【図５】
2019104830.tif 000020